(57)【要約】【課題】波長域制御部に発生する歪みを抑制できる照明装置を提供することである。【解決手段】実施形態に係る照明装置は、本体部と、本体部に設けられ、発光素子を有する光源と、光源の照射側に設けられ、光源から照射された光を透過させる第１の透過部と、第１の透過部から突出して設けられた支持部と、を有する波長域制御部と、を備えている。そして、第１の透過部は、透光性を有する第１の材料と、顔料および蛍光体の少なくともいずれかと、を含んでいる。また、波長域制御部は、支持部を介して本体部に締結されている。【選択図】図１
2013149576.tif 000002
【特許請求の範囲】
【請求項１】
本体部と、
前記本体部に設けられ、発光素子を有する光源と、
前記光源の照射側に設けられ、前記光源から照射された光を透過させる第１の透過部と、前記第１の透過部から突出して設けられた支持部と、を有する波長域制御部と、
を備え、
前記第１の透過部は、透光性を有する第１の材料と、顔料および蛍光体の少なくともいずれかと、を含み、
前記波長域制御部は、前記支持部を介して前記本体部に締結される照明装置。
【請求項２】
前記波長域制御部は、前記第１の透過部と、前記支持部と、を貫通し、締結部材を通す穴部を有する請求項１記載の照明装置。
【請求項３】
前記第１の透過部と、前記支持部と、が一体に設けられた請求項１または２に記載の照明装置。
【請求項４】
前記波長域制御部の照射側に設けられ、前記光源から照射された光を透過させる第２の透過部を有するカバー部をさらに備え、
前記第２の透過部は、透光性を有する第２の材料を含み、
前記透光性を有する第２の材料は、前記透光性を有する第１の材料よりも耐候性が高い請求項１〜３のいずれか１つに記載の照明装置。
【請求項５】
前記透光性を有する第１の材料は、前記透光性を有する第２の材料よりも耐熱性が高い請求項４記載の照明装置。
【発明の詳細な説明】
【技術分野】
【０００１】
後述する実施形態は、概ね、照明装置に関する。
【背景技術】
【０００２】
発光ダイオードと、蛍光体を含有する波長変換部と、所定の波長範囲の分光透過率を減少させるフィルタと、を備えた照明装置がある。  
この様な照明装置によれば、平均演色評価数Ｒａを向上させることができる。  
ここで、フィルタを取り付ける際に機械的な応力がフィルタに発生したり、照明装置の点灯と消灯とにより熱応力がフィルタに発生したりする場合がある。  
そのため、フィルタに歪みが発生するおそれがある。
【先行技術文献】
【特許文献】
【０００３】
【特許文献１】特開２００４−１９３５８１号公報
【発明の概要】
【発明が解決しようとする課題】
【０００４】
本発明が解決しようとする課題は、波長域制御部に発生する歪みを抑制できる照明装置を提供することである。
【課題を解決するための手段】
【０００５】
実施形態に係る照明装置は、本体部と、本体部に設けられ、発光素子を有する光源と、光源の照射側に設けられ、光源から照射された光を透過させる第１の透過部と、第１の透過部から突出して設けられた支持部と、を有する波長域制御部と、を備えている。そして、第１の透過部は、透光性を有する第１の材料と、顔料および蛍光体の少なくともいずれかと、を含んでいる。また、波長域制御部は、支持部を介して本体部に締結されている。
【発明の効果】
【０００６】
本発明の実施形態によれば、波長域制御部に発生する歪みを抑制できる照明装置を提供することができる。
【図面の簡単な説明】
【０００７】
【図１】本実施形態に係る照明装置を例示するための模式部分断面図である。
【図２】波長域制御部を例示するための模式図であり、（ａ）は波長域制御部の模式斜視図、（ｂ）は波長域制御部の取り付け状態を例示するための模式部分拡大図である。
【図３】他の実施形態に係る波長域制御部を例示するための模式図であり、（ａ）は波長域制御部の模式斜視図、（ｂ）は波長域制御部の取り付け状態を例示するための模式部分拡大図である。
【図４】さらに他の実施形態に係る波長域制御部を例示するための模式図であり、（ａ）は波長域制御部の模式斜視図、（ｂ）は波長域制御部の取り付け状態を例示するための模式部分拡大図である。
【発明を実施するための形態】
【０００８】
第１の発明は、本体部と、本体部に設けられ、発光素子を有する光源と、光源の照射側に設けられ、光源から照射された光を透過させる第１の透過部と、第１の透過部から突出して設けられた支持部と、を有する波長域制御部と、を備え、第１の透過部は、透光性を有する第１の材料と、顔料および蛍光体の少なくともいずれかと、を含み、波長域制御部は、支持部を介して本体部に締結される照明装置である。  
この照明装置においては、波長域制御部は支持部を介して本体部に締結されているので、波長域制御部における歪みの発生を抑制することができる。すなわち、機械的な応力や熱応力が発生したとしても、支持部と相手側部材との間に生じる滑りなどにより応力を緩和することができる。そのため、波長域制御部における歪みの発生を抑制することができる。  また、波長域制御部は顔料および蛍光体の少なくともいずれかを含んでいるので、変更可能な光の波長域を広げることができる。  
またさらに、波長域制御部は支持部を介して本体部に締結されているので、着脱が容易である。そのため、光の波長域を容易に変更することができる。
【０００９】
また、第２の発明は、第１の発明において、波長域制御部は、第１の透過部と、支持部と、を貫通し、締結部材を通す穴部を有する。  
この照明装置においては、波長域制御部はネジなどの締結部材を通す穴部を有しているので、ネジなどにより容易に締結することができる。そのため、波長域制御部の着脱、交換などを容易に行うことができるので、光の波長域をさらに容易に変更することができる。
【００１０】
また、第３の発明は、第１または第２の発明において、第１の透過部と、支持部とが一体に設けられている。  
この照明装置においては、波長域制御部の第１の透過部と、支持部とが一体に設けられているので、波長域制御部の着脱における作業性を向上させることができる。また、波長域制御部の製造コストの低減を図ることができる。
【００１１】
また、第４の発明は、第１〜第３のいずれか１つの発明において、波長域制御部の照射側に設けられ、光源から照射された光を透過させる第２の透過部を有するカバー部をさらに備え、第２の透過部は、透光性を有する第２の材料を含み、透光性を有する第２の材料は、透光性を有する第１の材料よりも耐候性が高くなっている。  
この照明装置においては、耐候性が高く透光性を有する第２の材料を含むカバー部を備えているので、照明装置を屋外に設置する場合であっても経年変化を抑制することができる。
【００１２】
また、第５の発明は、第４の発明において、透光性を有する第１の材料は、透光性を有する第２の材料よりも耐熱性が高くなっている。  
この照明装置においては、耐熱性が高く透光性を有する第１の材料を含む波長域制御部を備えているので、光源などからの熱に対する耐性を向上させることができる。
【００１３】
以下、図面を参照しつつ、実施の形態について例示をする。なお、各図面中、同様の構成要素には同一の符号を付して詳細な説明は適宜省略する。  
図１は、本実施形態に係る照明装置を例示するための模式部分断面図である。  
図１に示すように、照明装置１には、本体部２、反射部３、光源４、口金部５、制御部６、波長域制御部７、カバー部８が設けられている。
【００１４】
本体部２は、例えば、口金部５側から波長域制御部７側に向かうにつれて軸方向に垂直な方向における断面積が漸増する様な形状とすることができる。ただし、これに限定されるわけではなく、例えば、光源４や反射部３などの大きさ、口金部５の大きさなどに応じて適宜変更することができる。
【００１５】
本体部２は、例えば、熱伝導率の高い材料から形成されるものとすることができる。本体部２は、例えば、アルミニウム（Ａｌ）、銅（Ｃｕ）、これらの合金などの金属から形成されるものとすることができる。ただし、これらに限定されるわけではなく窒化アルミニウム（ＡｌＮ）、アルミナ（Ａｌ２Ｏ３）などの無機材料、高熱伝導性樹脂などの有機材料などから形成されるものとすることもできる。
【００１６】
本体部２の一方の端面２ａには凹部２ｂが設けられている。そして、凹部２ｂの内部には反射部３と光源４が設けられている。  
反射部３は、入射した光を反射する。  
反射部３の軸方向の両端部は開口されており、反射部３の内面形状はすり鉢状を呈している。反射部３の内面には、例えば、反射率の高い銀やアルミニウムなどの金属がコーティングされている。コーティングは、例えば、めっき法、蒸着法、スパッタリング法などにより行うことができる。
【００１７】
なお、反射率の高い材料をコーティングすることに限定されるわけではない。例えば、反射部３自体を反射率の高い材料から形成するようにしてもよい。また、バフ研磨などにより反射率を高めるようにしてもよい。
【００１８】
光源４は、凹部２ｂの底部に設けられている。また、光源４は、反射部３に囲まれている。  
光源４は、例えば、基板４ａと、基板４ａ上に設けられた発光素子４ｂとを有するものとすることができる。
【００１９】
基板４ａは、樹脂を用いた基材の表面に配線パターンが形成されたものとすることができる。また、基板４ａは、熱伝導率の高い材料を用いた基材の表面に配線パターンが形成されたものとすることもできる。熱伝導率の高い材料としては、例えば、窒化アルミニウム（ＡｌＮ）などの無機材料、高熱伝導性樹脂などの有機材料などを例示することができる。
【００２０】
発光素子４ｂは、例えば、発光ダイオード、有機発光ダイオード、レーザダイオードなどのいわゆる自発光素子などとすることができる。  
発光素子４ｂの照射面４ｃは、照明装置１の中心軸１ａに垂直となるように設けられ、主に、照明装置１の軸方向に向けて光を照射する。発光素子４ｂの数は特に限定されるわけではなく、照明装置１の用途や発光素子４ｂの大きさなどに応じて１個以上の発光素子４ｂが設けられるようにすればよい。複数の発光素子４ｂが設けられる場合には、マトリックス状、千鳥状、放射状などのように規則的な配設形態とすることもできるし、任意の配設形態とすることもできる。
【００２１】
発光素子４ｂが発光ダイオードである場合には、蛍光体を含む図示しない波長変換部を照射面４ｃ側に有したものとすることができる。  
この場合、蛍光体は、発光素子４ｂから照射された光の一部を吸収して、所定の波長を有する蛍光を発する。例えば、蛍光体は、発光素子４ｂから照射された青色の光の一部を吸収して、黄色の蛍光を発するものとすることができる。この場合、発光素子４ｂからは、蛍光体に吸収されなかった青色の光と、蛍光体から発せられた黄色の光とが照射される。そして、青色の光と、黄色の光とが混色されて白色の光となるようにすることができる。
【００２２】
ただし、図示しない波長変換部を有する発光素子４ｂから照射される光の色は、照明装置１の用途などに応じて適宜変更することができる。例えば、図示しない波長変換部を有する発光素子４ｂから色温度が２８００Ｋ以上、３０００Ｋ以下（以下、電球色と称する）の光が照射されるようにすることもできる。
【００２３】
口金部５は、本体部２の波長域制御部７が設けられる側とは反対側の端部２ｃに設けられている。口金部５は、白熱電球が装着されるソケットに取付可能な形状を有するものとすることができる。口金部５は、例えば、ＪＩＳ規格に定められているＥ２６形やＥ１７形などと同様の形状を有するものとすることができる。ただし、口金部５は、例示をした形状に限定されるわけではなく適宜変更することができる。例えば、口金部５は、蛍光ランプに使用されるピン形の端子を有するものとすることもできるし、引掛シーリングに使用されるＬ字形の端子を有するものとすることもできる。
【００２４】
図１に例示をした口金部５は、ネジ山を有する筒状のシェル部５ａと、シェル部５ａの本体部２に設けられる側の端部とは反対側の端部に設けられたアイレット部５ｂとを有している。シェル部５ａ、アイレット部５ｂには、制御部６が電気的に接続されている。
【００２５】
制御部６は、本体部２の内部に形成された空間に設けられている。  
制御部６は、光源４に電力を供給する点灯回路を有するものとすることができる。また、制御部６は、光源４の調光を行うための調光回路をも有するものとすることができる。
【００２６】
波長域制御部７は、光源４の照射側に設けられている。この場合、波長域制御部７は、反射部３の照射側に設けられるようにすることができる。また、波長域制御部７は、反射部３の照射側の開口を覆うように設けることができる。
【００２７】
ここで、発光素子４ｂが発光ダイオードなどの自発光素子の場合には、発光素子４ｂから照射される光の波長域が限定されたものになる。この場合、蛍光体を含む波長変換部を照射面４ｃ側に有した発光素子４ｂとすれば、光の波長域を変更することができる。しかしながら、波長変換部に含まれる蛍光体を調整するだけでは変更可能な光の波長域が限られたものとなる。また、照明装置１の用途などに応じて、光の波長域を容易に変更することができるようにすることが好ましい。  
そのため、照明装置１においては、波長域制御部７を設けることで変更可能な光の波長域を広げるとともに、光の波長域を容易に変更することができるようにしている。
【００２８】
またさらに、波長域制御部７を取り付ける際に機械的な応力が波長域制御部７に発生したり、照明装置１の点灯と消灯とにより熱応力が波長域制御部７に発生したりする場合がある。波長域制御部７において、機械的な応力や熱応力が発生すると波長域制御部７に歪みが発生するおそれがある。  
そのため、波長域制御部７は、機械的な応力や熱応力が発生するような場合であっても歪みの発生を抑制することができるようになっている。
【００２９】
図２は、波長域制御部７を例示するための模式図である。  
なお、図２（ａ）は波長域制御部７の模式斜視図、図２（ｂ）は波長域制御部７の取り付け状態を例示するための模式部分拡大図である。  
図２（ａ）に示すように、波長域制御部７は透過部７ａ（第１の透過部の一例に相当する）と支持部７ｂとを有している。  
【００３０】
透過部７ａは、円板状を呈し、光源４から照射された光を透過させる。なお、透過部７ａの形状は円板状に限定されるわけではなく、反射部３の照射側の形状などに応じて適宜変更することができる。  
透過部７ａは、透光性を有する材料（第１の材料の一例に相当する）から形成され、内部に顔料および蛍光体の少なくともいずれかを含んでいる。
【００３１】
透光性を有する材料としては、顔料や蛍光体などの分散性、光源４などからの熱に対する耐熱性を考慮したものとすることが好ましい。  
その様な透光性を有する材料としては、例えば、ポリカーボネート樹脂などを例示することができる。
【００３２】
透過部７ａに顔料を含ませるようにすれば、顔料の種類に応じて所定の波長域における光を吸収させることができる。  
透過部７ａに蛍光体を含ませるようにすれば、蛍光体の種類に応じて所定の波長域における蛍光を発生させることができる。  
そのため、透過部７ａを介して照射される光の波長域を制御することができる。
【００３３】
顔料や蛍光体は特に限定されるわけではなく、照明装置１の用途などに応じて適宜変更することができる。  
この場合、蛍光体とすれば、光源４から照射される光の波長域によっては蛍光体から発せられる蛍光の量が少なくなるおそれがある。一方、顔料とすれば、光源４から照射される光の波長域による影響を抑制することができる。
【００３４】
顔料としては、例えば、シアニン系、スクアリリウム系、アゾメチン系、キサンテン系、オキソノール系、アゾ系ポリメチン系などの各種化合物、有機金属化合物からなる有機顔料などを例示することができる。
【００３５】
ここで、例えば、光源４から電球色の光が照射される場合、発光素子４ｂの照射面４ｃ側に設けられた波長変換部の蛍光体を調整するだけでは、平均演色評価数ＲａをＲａ８０以上にすることは困難である。  
これに対して、光源４から電球色の光が照射される場合、透過部７ａに青色の顔料を含ませるようにすれば、平均演色評価数Ｒａを向上させることができる。例えば、透過部７ａに青色の顔料を含ませることで、平均演色評価数ＲａをＲａ８０程度からＲａ９０程度に向上させることができる。すなわち、透過部７ａに青色の顔料を含ませることで、高演色性の照明装置１とすることができる。
【００３６】
図２（ａ）、（ｂ）に示すように、支持部７ｂは透過部７ａの周縁部に設けられている。  支持部７ｂは、透過部７ａから突出して設けられている。  
また、波長域制御部７は、透過部７ａと支持部７ｂとを貫通し、ネジなどの締結部材を通す穴部７ｂ１を有している。
【００３７】
穴部７ｂ１は、波長域制御部７を取り付ける際に用いられる。図２に例示をした穴部７ｂ１の端部には、皿モミ加工が施されているがこれに限定されるわけではない。例えば、穴部７ｂ１を直穴とすることもできるし、穴部７ｂ１の端部に座ぐり加工や穴ぐり加工などが施されていてもよい。
【００３８】
なお、穴部７ｂ１は、透過部７ａの外側に向けて開口していてもよい（例えば、図４などを参照）。その様にすれば、波長域制御部７の着脱時における作業性を向上させることができる。
【００３９】
支持部７ｂの数は特に限定されず、１つ以上の支持部７ｂが設けられていればよい。ただし、複数の支持部７ｂを設けるようにすれば、波長域制御部７の位置決めや保持を確実なものとすることができる。複数の支持部７ｂを設ける場合には、例えば、等間隔に設けることができる。  
波長域制御部７を取り付ける際には、支持部７ｂは反射部３に設けられた凹部３ｂの内部に挿入される。なお、照明装置１の用途などによって波長域制御部７を設けない場合には、凹部３ｂの内部に反射部３を締結するネジの頭部が設けられることになる。
【００４０】
また、支持部７ｂの高さ寸法Ｈは、波長域制御部７を取り付けた際に、透過部７ａの下面７ａ１と反射部３の照射側の端面３ａとが接触するか、あるいは僅かな隙間が形成されるような値となっている。
【００４１】
ここで、例えば、支持部７ｂを有していない円板状の波長域制御部の周縁部の全周を接着剤などで固定すると、発生した機械的な応力や熱応力の緩和ができなくなる。そのため、波長域制御部に大きな歪みが発生するおそれがある。
【００４２】
これに対して波長域制御部７の場合は、支持部７ｂを介して波長域制御部７を本体部２に締結するようにしている。そのため、機械的な応力や熱応力が発生したとしても、支持部７ｂと相手側部材（例えば、反射部３）との間に生じる滑りなどにより応力を緩和することができる。そのため、波長域制御部７における歪みの発生を抑制することができる。
【００４３】
この場合、透過部７ａの下面７ａ１と反射部３の照射側の端面３ａとが接触するか、あるいは僅かな隙間が形成されていれば、応力をより緩和させることができる。  
以上説明したように、波長域制御部７によれば、歪みの発生を効果的に抑制することができる。
【００４４】
また、支持部７ｂは、透過部７ａと一体に設けることができる。例えば、透過部７ａに支持部７ｂを接着したり、透過部７ａと支持部７ｂとを一体に成形したりすることができる。  
透過部７ａと支持部７ｂとを一体とすれば、波長域制御部７の着脱における作業性を向上させることができる。また、波長域制御部７の製造コストの低減を図ることができる。
【００４５】
ここで、照明装置１の用途などによっては、求められる光の色合いが異なるものとなる。例えば、光源４から照射される光の色合いのままでよい場合もあるし、高演色性の光が求められる場合もある。
【００４６】
図２（ｂ）に示すように、波長域制御部７はネジなどの締結部材９により締結されている。そのため、波長域制御部７の着脱を容易とすることができる。また、透過部７ａと支持部７ｂとが一体となっているので、波長域制御部７の着脱をさらに容易とすることができる。
【００４７】
波長域制御部７の着脱を容易とすれば、例えば、波長域制御部７が設けられていない照明装置１を予め製造しておき、需要に併せて適切な波長域制御部７を設けるようにすることができる。そのため、照明装置１の生産性を向上させることができる。  
また、既設の照明装置１に対しても、光の色合いの変更を容易に行うことができる。
【００４８】
次に、図１に戻って、カバー部８について例示をする。  
カバー部８は必ずしも必要ではないが、照明装置１が屋外に設置されるような場合には、耐候性の向上や内部の保護の観点からカバー部８を設けるようにすることが好ましい。また、カバー部８を設けるようにすれば商品性を向上させることもできる。
【００４９】
カバー部８は、波長域制御部７の照射側に設けられ、透過部８ａ（第２の透過部の一例に相当する）と保持部８ｂとを有している。  
透過部８ａは、円板状を呈し、光源４から照射された光を透過させる。透過部８ａは、光源４からの光を透過させるので透光性を有する材料（第２の材料の一例に相当する）から形成されている。  
この場合、照明装置１が屋外に設置されることを考慮すると、透光性と耐候性を有する材料とすることが好ましい。
【００５０】
透光性と耐候性を有する材料としては、例えば、アクリル樹脂などを例示することができる。  
ここで、波長域制御部７の透過部７ａをアクリル樹脂で形成すると、顔料や蛍光体などの分散性、光源４などからの熱に対する耐熱性が低下するおそれがある。  
一方、カバー部８をポリカーボネート樹脂で形成すると、耐候性が低下するので経時的に変色するおそれがある。
【００５１】
そのため、波長域制御部７に要求される性質と、カバー部８に要求される性質とを考慮して透光性を有する材料を選定することが好ましい。  
例えば、波長域制御部７の透過部７ａの材料は、カバー部８の透過部８ａの材料よりも耐熱性が高いものとすることができる。また、カバー部８の透過部８ａの材料は、波長域制御部７の透過部７ａの材料よりも耐候性が高いものとすることができる。  
例えば、波長域制御部７の透過部７ａをポリカーボネート樹脂で形成し、カバー部８の透過部８ａをアクリル樹脂で形成することができる。
【００５２】
また、透過部８ａは、光を集光させたり、散乱させたりするための光学要素を有するものとすることもできる。例えば、透過部８ａは、レンズ、プリズム、凹凸などを有するものとすることができる。
【００５３】
保持部８ｂは、円環状を呈し、透過部８ａの周縁部から突出して設けられている。円環状の透過部８ａの内側には雌ネジ部８ａ１が設けられ、本体部２には雌ネジ部８ａ１に適合する雄ネジ部２ｄが設けられている。  
そのため、カバー部８の着脱を容易とすることができる。またさらに、波長域制御部７の着脱作業を容易とすることができる。
【００５４】
また、保持部８ｂは、透過部８ａと一体に設けられている。例えば、透過部８ａに保持部８ｂを接着したり、透過部８ａと保持部８ｂとを一体に成形したりすることができる。
【００５５】
図３は、他の実施形態に係る波長域制御部１７を例示するための模式図である。  
なお、図３（ａ）は波長域制御部１７の模式斜視図、図３（ｂ）は波長域制御部１７の取り付け状態を例示するための模式部分拡大図である。  
図３（ａ）、（ｂ）に示すように、波長域制御部１７は透過部１７ａと支持部１７ｂとを有している。
【００５６】
ここで、透過部１７ａは、前述した波長域制御部７の透過部７ａと同様とすることができる。  
支持部１７ｂは透過部１７ａの周縁部に設けられている。  
支持部１７ｂは、透過部１７ａから突出して設けられている。  
また、波長域制御部１７は、透過部１７ａと支持部１７ｂとを貫通し、ネジなどの締結部材を通す穴部１７ｂ１を有している。  
穴部１７ｂ１は、波長域制御部１７を取り付ける際に用いられる。穴部１７ｂ１は、前述した波長域制御部７の穴部７ｂ１と同様とすることができる。
【００５７】
前述した波長域制御部７の支持部７ｂは反射部３に設けられた凹部３ｂの内部に挿入されるが、支持部１７ｂは反射部３の端面３ａおよび本体部２の端面２ａの上に設けられる。そのため、支持部７ｂの高さ寸法Ｈに比べて、支持部１７ｂの高さ寸法Ｈａは低くなる。
なお、支持部１７ｂの高さ寸法Ｈａは、波長域制御部１７を取り付けた際に、透過部１７ａの下面１７ａ１と反射部３の端面３ａとの間に僅かな隙間が形成されるような値となっている。  
波長域制御部１７を設けるようにすれば、前述した波長域制御部７を設ける場合と同様の効果を享受することができる。
【００５８】
図４は、さらに他の実施形態に係る波長域制御部２７を例示するための模式図である。
なお、図４（ａ）は波長域制御部２７の模式斜視図、図４（ｂ）は波長域制御部２７の取り付け状態を例示するための模式部分拡大図である。
図４（ａ）、（ｂ）に示すように、波長域制御部２７は透過部２７ａと支持部２７ｂとを有している。
【００５９】
ここで、透過部２７ａ、支持部２７ｂは、波長域制御部１７の透過部１７ａ、支持部１７ｂとそれぞれ同様とすることができる。  
なお、支持部２７ｂの高さ寸法Ｈｂは、波長域制御部２７を取り付けた際に、透過部２７ａの下面２７ａ１と反射部３の端面３ａとの間に僅かな隙間が形成されるような値となっている。  
ただし、波長域制御部２７においては、透過部２７ａと支持部２７ｂとを貫通する穴部２７ｂ１が透過部２７ａの周縁に開口している。つまり、穴部２７ｂ１は、透過部２７ａの外側に向けて開口している。
【００６０】
波長域制御部２７を設けるようにすれば、前述した波長域制御部７を設ける場合と同様の効果を享受することができる。  
また、穴部２７ｂ１が透過部２７ａの周縁に開口しているので、波長域制御部２７の着脱時における作業性を向上させることができる。例えば、ネジなどにより締結する際の作業性を向上させることができる。
【００６１】
以上に例示をした実施形態によれば、波長域制御部に設けられた支持部によって、波長域制御部に発生する歪みを抑制できる。  
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６２】
１  照明装置、２  本体部、３  反射部、４  光源、４ｂ  発光素子、５  口金部、６  御部、７  波長域制御部、７ａ  透過部、７ｂ  支持部、７ｂ１  穴部、８  カバー部、８ａ  透過部、８ｂ  保持部、１７  波長域制御部、１７ａ  透過部、１７ｂ  支持部、１７ｂ１  穴部、２７  波長域制御部、２７ａ  透過部、２７ｂ  支持部、２７ｂ１  穴部
【図１】
2013149576.tif 000003
【図２】
2013149576.tif 000004
【図３】
2013149576.tif 000005
【図４】
2013149576.tif 000006